(57)【要約】  【課題】男子が起立状態でした小便によりリム上面が汚れにくい洋風水洗便器を提供する。  【解決手段】  洗浄水が貯留され用便後の排水操作で洗浄水が流されるボール部２１の上縁外周部分を構成するリム部３において、前方部分３１の厚さａを側方部分３２の厚さｂより小さく形成している。この場合、横幅ｃ（使用時の方向から見て左右方法の幅員）が少なくとも１００ｍｍである範囲の前方部分３１において、その厚さを側方部分３２の通常３５ｍｍ〜４５ｍｍ程度の厚さｂより小さく、かつ中央先端部分の厚さａを８ｍｍ〜１５ｍｍの範囲に形成して具体化するのが好ましい。  【選択図】  図１
2007327223.tif 000002
【特許請求の範囲】
【請求項１】
洋風水洗便器のボール部のリム部において、その前方部分の厚さを側方部分の厚さより小さく形成したことを特徴とする洋風水洗便器。
【請求項２】
前記リム部において、その前方部分を横幅１００ｍｍ以上にわたり、その厚さを側方部分の厚さより小さく、かつ中央先端部分の厚さを８ｍｍ〜１５ｍｍに形成したことを特徴とする請求項１に記載の洋風水洗便器。
【請求項３】
前記ボール部前方部分の中央先端部分におけるリム部からボール部底部に至る壁面がオーバハング形状を伴うことなく、下り勾配に形成されている請求項１または２に記載の洋風水洗便器。
【請求項４】
前記ボール部前方部分の中央先端部分が、ボール部の内壁と、便器本体の外壁とからなり、上端部を閉じた空間を備え下方に厚さを増す２層構造に形成されている請求項２または３に記載の洋風水洗便器。
【発明の詳細な説明】
【技術分野】
【０００１】
本発明は、洋風水洗便器に関するものであって、特に、男子の小便によるリムの汚れを防止するための改良された水洗便器に関する。
【背景技術】
【０００２】
従来から、男子が起立したまま小便をするようにした洋風水洗便器が一般に普及している。その洋風水洗便器の外観は図５の斜視図に示すようなもので、その便器本体１のリム上面部１１は平面状に形成され、その厚さａは、最も薄い個所であっても通常３５ｍｍ〜４５ｍｍ程度のものであった。
【０００３】
水洗便器のボ−ル内の洗浄形態には種々のものがあるが、一般的にはリム部を中空に形成して、その中空部を洗浄水の通路としたものが多い。また、近年、リムの掃除をし易くするために、オーバハング形状にして、ボ−ル上縁部の内側壁面に沿って旋回させながら洗浄する方式も多く見られるようになってきた。（例えば、特許文献１を参照）
【０００４】
いづれにしてもリムの構造は、このように、通水路として利用したり、水返し機能を付与する他、倒伏させる蓋兼便座を支承する目的があることから、リム部の厚さは前記した寸法が必要とされていた。
従って、男子が起立状態で小便をした場合、便器前方部分のリム上面部に尿がかかり易いうえ、ボール内に流れ込み難いので、汚れがつきやすいという問題があった。また、オーバハングの裏面は掃除が困難なので、ボール内に流れ込む尿の一部がそこの残留し固形物として固着して臭気の原因ともなっていた。
【０００５】
【特許文献１】特許第３３８１２６１号特許公報
【発明の開示】
【発明が解決しようとする課題】
【０００６】
本発明は、上記の問題点を解決するためになされたものであり、男子が起立状態でした小便によりリム上面部分が汚れにくい洋風水洗便器を提供するとともに、従来汚れやすかったリムの前方部分の上面から内面にかけて掃除が容易に行なえるようにした洋風水洗便器を提供する。
【課題を解決するための手段】
【０００７】
上記の問題は、洋風水洗便器のボール部のリム部において、その前方部分の厚さを側方部分の厚さより小さく形成したことを特徴とする本発明の洋風水洗便器によって、解決することができる。そして、本発明は、前記リム部において、その前方部分を横幅１００ｍｍ以上にわたり、その厚さを側方部分の厚さより小さく、かつ中央先端部分の厚さを８ｍｍ〜１５ｍｍに形成した形態に好ましく具体化することができる。
【０００８】
さらに、本発明は、前記ボール部前方部分の中央先端部分におけるリム部からボール部底部に至る壁面がオーバハング形状を伴うことなく、下り勾配に形成されている形態とするのがさらに好ましい。また、前記ボール部前方部分の中央先端部分が、ボール部の内壁と、便器本体の外壁とからなり、上端部を閉じた空間を備え下方に厚さを増す２層構造に形成されている形態が好ましい。
【発明の効果】
【０００９】
本発明の洋風水洗便器は、このように、洋風水洗便器のボール部のリム部における、前方部分の水平方向の厚さを側方部分の同厚さより小さくなるよう構成しているので、男性の小便によりリム上面が汚れにくくなる。また、従来汚れやすかったリム部の前方部分の上面から内面にかけて掃除が容易に行なえるようになる、結果、汚れが残留、固着することもなくなり、悪臭を防止できるという優れた効果がある。
よって本発明は、従来の問題点を解消した洋風水洗便器として、工業的価値はきわめて大なるものがある。
【発明を実施するための最良の形態】
【００１０】
次に、本発明の洋風水洗便器に係る実施形態について、図１〜４を参照しながら説明する。
本発明の特徴とするところは、洋風水洗便器２のボール部２１のリム上面部３のうち、前方部分３１の水平方向の厚さを側方部分３２の厚さ（通常３５ｍｍ〜４５ｍｍ程度の厚さがある）より小さく形成した点にあり、具体的には、先ず、本発明は、図１、２例示される、トイレ床上に載置して設置される据え置きタイプの洋風水洗便器を対象としている。
【００１１】
そして、洗浄水が貯留され用便後の排水操作で洗浄水が流されるボール部２１の上縁外周部分を構成するリム部３において、前方部分３１の厚さａ（水平方向の厚さ：図２参照）を側方部分３２の厚さｂ（水平方向の厚さ：図３参照）より小さく形成している。この場合、横幅ｃ（図１参照：使用時の方向から見て先端を中心に左右等間隔の幅員）が少なくとも１００ｍｍである範囲の前方部分３１において、その厚さを側方部分３２の厚さｂより小さく、かつ中央先端部分の厚さａを８ｍｍ〜１５ｍｍの範囲に形成して具体化するのが好ましい。この場合、厚さａを小さくする横幅ｃは、２００ｍｍ以上としても効果が少ないのでその必要はない。
【００１２】
前記中央先端部分の厚さａを８ｍｍ未満とすると強度が低下し好ましくない。また１５ｍｍより大きい場合は汚れが残り易くなるので好ましくない。また、前記リム部の前方部分３１は、その断面において先端部分が略円弧状の形成されているのがよく、さらに、中央先端部分だけでなく、横幅ｃが少なくとも１００ｍｍである範囲の前方部分３１において、同様に先端部分が略円弧状の形成されているのが好ましい。
【００１３】
さらに、前方部分の中央先端部分の好ましい形状として、本発明は、前記ボール部前方部分の中央先端部分におけるリム上面部３１ａ頂上からボール部の底部領域２１ｃに至る壁面がオーバハング形状を伴うことなく下り勾配に形成されているのが好ましい。
【００１４】
また、横幅ｃが少なくとも１００ｍｍである範囲の前方部分３１のリム上面部３１ａ頂上からボール部の底部領域２１ｃに向かう壁面も同様に形成されているのが好ましい。なお、前方部分のオーバハング形状を伴わない部分以外の側方部分では、図３（Ｂ）に例示するようにオーバハング形状３２ｃを形成するのは差支えない。
【００１５】
かくして、本発明では、便器前部のリム上面部分の厚さを薄くすることにより汚れの付着を７０%以上減少させることができる。また、リム上面部分を平面状から円弧状に形成してさらに汚れをカットすることもできる。さらに、リム上面部分からボール部底部に至る内壁面をオーバハング形状に形成していない場合は、日常の掃除も十分に行き届くうえ、汚れが従来のオーバハング形状の裏面に残ることがなくなるので、この残った汚れが原因の臭気を防止できることになる。このように、本発明によれば、小便の汚れを気にすることなく安心して使用することができ、掃除の手間も省ける利点が得られるのである。
【００１６】
さらに、本発明では、前記ボール部前方部分３１の中央先端近傍において、図４に示す断面のように、ボール部側の内壁３１ｃと、便器本体外側の外壁３１ｂとからなり、上端のリム上面部３１ａにおいて閉じた空間３３を備え、下方に向かって全体の厚さを増すようにした２層構造に形成されている形態、例えばリム上面部３１ａから下方に深さｄが６５ｍｍの位置において、厚さｅが２５〜３５ｍｍになるような裾広がり形状にも好ましく具体化される。このような２層構造を採用することにより、１層構造に比較して構造上補強されるので実用上十分な構造強度が得られ易くなる、あるいは製造し易くなるなど生産技術上の利点が得られる。
【００１７】
次に、本発明の洋風水洗便器のボール構造の要点と洗浄作用の概要を説明する。
本発明が適用される水洗便器２は、図２、３、６に示すように、ボ−ル部２１の後方に洗浄水供給口４を形成するとともに、如上のごとく、ボ−ル部上縁開口の周縁に設けられたリム部３のうち、ボール部前方部分３１のリム厚さａを側方部分３２より薄くした構成になっている。
【００１８】
この水洗便器２では、用便終了後、洗浄バルブ（図示せず）を操作することにより、後部に設けられた洗浄水供給口４から供給された洗浄水は、通水路４１を経て、それぞれボール部上部に配設された主洗浄口５と分流洗浄口６から吐出される。
【００１９】
この主洗浄口５は、ボ−ル部の後方、排水入口７上方に設けられ、洗浄水を排水入口７方向へ向かう噴出水５ｂ（矢印表示、以下同様）と、斜め下方に向ける噴出水５ａ（矢印表示、以下同様）として噴出する。そして、その噴出水５ａは、底部領域２１ｃと後記の上部旋回領域２１ａとの中間領域である強制旋回領域２１ｂを流すよう主洗浄口５は配設されている。
【００２０】
また、分流洗浄口６は、ボ−ル部の側方のリム部３２に覆われた部分に設けられ、洗浄水を前方に向け略水平方向に噴出水６ａ（矢印表示、以下同様）として噴出して、ボール部内面のうち、主としてボール部上部周辺部分である上部旋回領域２１ａを流すよう配置されている。
【００２１】
このように、それぞれの洗浄口から噴出した噴出水５ａ、５ｂ、６ａはそれぞれの方向に向かい、それぞれの領域を洗浄することになるが、最終的には合流しながら排水路入口７を経て排水路出口８に排出される。なお、排水路出口８からの排水は、サイホン機能を有する床排水用ソケット８１または壁排水用ソケット８２を経由して外部へ排出される。
【００２２】
以上説明した洗浄構成によって、主洗浄口５から噴出される斜め下方に向ける噴出水５ａの旋回流は、通常は底部領域２１ｃに滞留している滞留水を巻き込んで強力な洗浄効果を発揮するとともに、排水入口７方向へ向かう噴出水５ｂは、その噴出力によってサイホン排水を誘起することになる。
【００２３】
従って、分流洗浄口６から略水平方向に向かう噴出水６ａは、主として汚物の飛沫が付着している上部旋回領域２１ａを洗浄すればよいので、従来のこの種の噴出水６ａだけでボール内面全体を洗浄するようにしている洗浄方式に比較して、水量を減量することができることになった。その結果、洗浄水全体の使用量をも約２０％減らすことが可能となった。
【００２４】
また、前記の通り、分流洗浄口６から略水平方向に向かう噴出水６ａの水量を減らすことができるので、本発明の特徴のひとつである、リム上面部３１ａ頂上からボール部の底部領域２１ｃに向かう壁面がオーバハング形状を伴わないなだらかな傾斜構造に形成されていても、洗浄水が外部に飛び出さないように設計でき、その勾配もゆるく設計できるなど、ここに例示した水洗便器の洗浄構造は、本発明のリム部分の構造に有利に適用できるのである。
【図面の簡単な説明】
【００２５】
【図１】本発明の実施形態を説明するための要部平面図。
【図２】実施形態のｘ−ｘ断面断面図。
【図３】実施形態の前面図（Ａ）、ｙ−ｙ断面図（Ｂ）。
【図４】実施形態のボール部前方部分の中央先端部分を示す要部断面図。
【図５】従来の洋風水洗便器の斜視図。
【図６】本発明の水洗便器の洗浄方式を説明するための要部平面図。
【符号の説明】
【００２６】
２：水洗便器、２１：ボール部、２１ｃ：底部領域
３：リム部、３１：前方部分、３１ａ：リム上面部、３１ｃ：内壁、３１ｂ：外壁、３２：側方部分、３３：空間
【図１】
2007327223.tif 000003
【図２】
2007327223.tif 000004
【図３】
2007327223.tif 000005
【図４】
2007327223.tif 000006
【図５】
2007327223.tif 000007
【図６】
2007327223.tif 000008